(57)【要約】【課題】口部の内周面上に残留する内容物を効果的に低減できる詰め替え容器を提供する。【解決手段】詰め替え容器１Ａは、筒状の口部４と、口部４に連なる胴部５と、胴部５の下端を閉塞する底部６とを有し、底部６は、胴部５の変形によって口部４に挿入可能な挿入部７を有し、挿入部７は、口部４の内周面に全周に亘って当接可能である。【選択図】図１
2019064662.tif 000002
【特許請求の範囲】
【請求項１】
筒状の口部と、
前記口部に連なる胴部と、
前記胴部の下端を閉塞する底部とを有し、
前記底部は、前記胴部の変形によって前記口部に挿入可能な挿入部を有し、
前記挿入部は、前記口部の内周面に全周に亘って当接可能である詰め替え容器。
【請求項２】
前記挿入部は、環状の周壁と前記周壁の上端を閉塞する頂壁とを有し、
前記挿入部を前記口部に挿入するための押圧操作を受ける受圧部をさらに有し、
前記受圧部は、前記周壁及び前記頂壁以外の部分に設けられている、請求項１に記載の詰め替え容器。
【請求項３】
前記頂壁から垂下する垂下体を有し、
前記受圧部は、前記垂下体に設けられている、請求項２に記載の詰め替え容器。
【請求項４】
前記垂下体は、前記頂壁から垂下する少なくとも１つのリブで構成されている、請求項３に記載の詰め替え容器。
【請求項５】
前記垂下体は、底面視で十字形状をなすように４つの前記リブで構成されている、請求項４に記載の詰め替え容器。
【請求項６】
前記口部に離脱可能に装着されるキャップを有し、
前記キャップは、前記キャップの離脱状態で前記挿入部における前記周壁の内周面及び／又は前記頂壁に当接可能な当接部を有し、
前記受圧部は、前記キャップに設けられている、請求項２に記載の詰め替え容器。
【請求項７】
前記胴部は、蛇腹状に折り畳み可能な蛇腹部からなり、
前記受圧部は、前記底部における、前記蛇腹部の折り畳み時に前記蛇腹部と重なる部分に設けられている、請求項２に記載の詰め替え容器。
【請求項８】
前記口部は、前記挿入部の一部が乗り越え可能な凸状の係合部を有する、請求項１〜７のいずれか一項に記載の詰め替え容器。
【発明の詳細な説明】
【技術分野】
【０００１】
本開示は、詰め替え容器に関する。
【背景技術】
【０００２】
洗剤、柔軟剤、漂白剤、シャンプー、リンス、ボディーソープ等の内容物を本容器に詰め替えるための詰め替え容器として、例えば特許文献１に記載されるように、筒状の口部と、口部に連なる胴部と、胴部の下端を閉塞する底部とを有し、底部は、胴部の変形によって口部に挿入可能な挿入部を有するものが知られている。このような詰め替え容器によれば、胴部を変形させて胴部の内側の容積を低減できるだけでなく、底部の挿入部を口部に挿入して口部の内側の容積も低減できるので、吐出後に残留する内容物を低減できる。
【先行技術文献】
【特許文献】
【０００３】
【特許文献１】特開２０１４−１２５２６４号公報
【発明の概要】
【発明が解決しようとする課題】
【０００４】
しかし、特許文献１に記載されるような詰め替え容器は、挿入部が口部の内周面に全周の一部のみにおいて当接可能に構成されているため、口部の内周面上に付着して残る内容物の残量が依然として多く、無視できない場合があった。
【０００５】
本発明の目的は、口部の内周面上に残留する内容物を効果的に低減できる詰め替え容器を提供することにある。
【課題を解決するための手段】
【０００６】
本発明の一態様としての詰め替え容器は、
筒状の口部と、
前記口部に連なる胴部と、
前記胴部の下端を閉塞する底部とを有し、
前記底部は、前記胴部の変形によって前記口部に挿入可能な挿入部を有し、
前記挿入部は、前記口部の内周面に全周に亘って当接可能である。
【０００７】
本発明の１つの実施形態として、
前記挿入部は、環状の周壁と前記周壁の上端を閉塞する頂壁とを有し、
前記詰め替え容器は、前記挿入部を前記口部に挿入するための押圧操作を受ける受圧部をさらに有し、
前記受圧部は、前記周壁及び前記頂壁以外の部分に設けられている。
【０００８】
本発明の１つの実施形態として、
前記詰め替え容器は、前記頂壁から垂下する垂下体を有し、
前記受圧部は、前記垂下体に設けられている。
【０００９】
本発明の１つの実施形態として、前記垂下体は、前記頂壁から垂下する少なくとも１つのリブで構成されている。
【００１０】
本発明の１つの実施形態として、前記垂下体は、底面視で十字形状をなすように４つの前記リブで構成されている。
【００１１】
本発明の１つの実施形態として、
前記詰め替え容器は、前記口部に離脱可能に装着されるキャップを有し、
前記キャップは、前記キャップの離脱状態で前記挿入部における前記周壁の内周面及び／又は前記頂壁に当接可能な当接部を有し、
前記受圧部は、前記キャップに設けられている。
【００１２】
本発明の１つの実施形態として、
前記胴部は、蛇腹状に折り畳み可能な蛇腹部からなり、
前記受圧部は、前記底部における、前記蛇腹部の折り畳み時に前記蛇腹部と重なる部分に設けられている。
【００１３】
本発明の１つの実施形態として、前記口部は、前記挿入部の一部が乗り越え可能な凸状の係合部を有する。
【発明の効果】
【００１４】
本発明によれば、口部の内周面上に残留する内容物を効果的に低減できる詰め替え容器を提供することができる。
【図面の簡単な説明】
【００１５】
【図１】第１実施形態に係る詰め替え容器を示す斜視図である。
【図２】第１実施形態に関し、容器本体に成形される前のプリフォームを示す側面図である。
【図３】第１実施形態に関し、胴部が変形させられる直前の容器本体を示す側面図である。
【図４】図３の状態から胴部が変形させられ、垂下体への押圧操作により、挿入部が口部に接近した時の容器本体を示す縦断面図である。
【図５】図４の状態から垂下体への押圧操作により、挿入部が口部に挿入された時の容器本体を示す縦断面図である。
【図６】第２実施形態に係る詰め替え容器を示す斜視図である。
【図７】第２実施形態に関し、容器本体に成形される前のプリフォームを示す側面図である。
【図８】第２実施形態に関し、胴部が変形させられる直前の容器本体を示す側面図である。
【図９】図８の状態から胴部が変形させられ、キャップへの押圧操作により、挿入部が口部に挿入された時の容器本体を示す縦断面図である。
【図１０】図９の状態から、キャップへの押圧操作により、挿入部が口部にさらに挿入され、口部に当接した時の容器本体を示す縦断面図である。
【図１１】第３実施形態に係る詰め替え容器の容器本体を示す縦断面図である。
【図１２】第３実施形態に関し、図１１の状態から胴部の蛇腹部が折り畳まれ、底部における蛇腹部と重なる部分への押圧操作により、挿入部が口部に挿入された時の容器本体を示す縦断面図である。
【発明を実施するための形態】
【００１６】
以下、図面を参照して、一実施形態に係る詰め替え容器について詳細に例示説明する。本明細書において、上下方向とは、詰め替え容器の起立状態での上下方向を意味する。図３〜図５及び図８〜図１２は、内容物の吐出時の状態を示している。内容物の吐出時には、容器本体は実際には倒立状態とされるが、説明の便宜上、図３〜図５及び図８〜図１２には容器本体を起立状態で示している。
【００１７】
まず、図１〜図５を参照して、第１実施形態に係る詰め替え容器１Ａについて詳細に例示説明する。図１に示すように、本実施形態に係る詰め替え容器１Ａ（以下、容器１Ａともいう）は、容器本体２と、キャップ３とを有している。しかし、容器１Ａは、キャップ３を有していなくてもよい。例えば、容器１Ａは、キャップ３の代わりに、使用時に剥離又は破断可能な密封シールを有していてもよい。内容物は、例えば、洗剤、柔軟剤、漂白剤、シャンプー、リンス、ボディーソープ等であってよいが、これらに限定されない。
【００１８】
容器本体２は、筒状（より具体的には円筒状）の口部４と、口部４に連なる胴部５と、胴部５の下端を閉塞する底部６とを有している。本実施形態では、容器本体２は、口部４と、口部４より拡径した胴部５と、底部６とからなるボトル形状をなしている。しかし、容器本体２の形状は適宜変更が可能である。口部４には、キャップ３を口部４に螺合によって着脱可能にする雄ねじ４ａ（図３参照）が設けられている。しかし、口部４は、螺合に代えて嵌合により、キャップ３を着脱可能に構成されてもよい。口部４には、雄ねじ４ａの下方にネックリング４ｂが設けられている。しかし、ネックリング４ｂを設けない構成としてもよい。
【００１９】
図１及び図５に示すように、底部６は、胴部５の変形によって口部４に挿入可能な挿入部７を有している。胴部５は、内容物の吐出の途中又は終了時に容易に押し潰して変形させられる可撓性を有している。挿入部７は、口部４の内周面に全周に亘って当接可能である。したがって、ユーザーは、胴部５からの内容物の吐出が終了した後に挿入部７を口部４に挿入することにより、口部４の内周面に付着した内容物を、口部４の内周面に全周に亘って当接した挿入部７の摺動によって効果的に押出し、吐出することができる。したがって、口部４の内周面上に残留する内容物を効果的に低減することができる。また、内容物の吐出後は、挿入部７が口部４に全周に亘って当接していることにより、挿入部７が口部４から抜け出し難く、胴部５が潰れた状態を保持し易い。したがって、廃棄時の省スペース化を図ることができる。
【００２０】
本実施形態では、挿入部７は、環状（より具体的には円環状）の周壁７ａと周壁７ａの上端を閉塞する頂壁７ｂとを有している。容器１Ａは、挿入部７を口部４に挿入するための押圧操作を受ける受圧部８をさらに有する。受圧部８は、周壁７ａ及び頂壁７ｂ以外の部分に設けられている。本実施形態では、容器１Ａは、頂壁７ｂから垂下する垂下体９を有しており、受圧部８は、この垂下体９に設けられている。より具体的には、受圧部８は、垂下体９の下端面によって構成されている。
【００２１】
垂下体９は、頂壁７ｂから垂下する少なくとも１つのリブ（板状の凸部）１０で構成されている。より具体的には、垂下体９は、底面視で十字形状をなすように４つのリブ１０で構成されている。垂下体９を構成するリブ１０の個数は変更が可能である。例えば、垂下体９は、底面視でＹ字形状をなすように３つのリブ１０で構成されてもよい。また、垂下体９は、リブ１０で構成しなくてもよい。例えば、垂下体９は、ボス（円筒状の凸部）等で構成してもよい。
【００２２】
本実施形態では、容器１Ａは、図２に示すようなプリフォーム１１をブロー成形（より具体的には、２軸延伸ブロー成形）することによって形成されたブロー成形容器である。プリフォーム１１は、略試験管状をなし、口部１１ａには、雄ねじ４ａ及びネックリング４ｂが設けられている。プリフォーム１１の底部１１ｂには、垂下体９が設けられている。プリフォーム１１は、例えば合成樹脂の射出成形によって得ることができる。しかし、容器１Ａは、このようなブロー成形によって得られるものに限られない。
【００２３】
容器１Ａから内容物を本容器に移し替えるに際しては、ユーザーは、まず、容器１Ａの容器本体２からキャップ３を取り外す。次いで、ユーザーは、容器本体２を傾倒させて倒立姿勢とし、口部４から内容物を吐出させる。そして、ユーザーは、内容物の吐出の途中又は終了時に胴部５を適宜押し潰して変形させることにより、容器本体２を、図３に示すような胴部５の未変形の状態から、図４に示すような挿入部７が口部４に接近した状態にする。このとき、ユーザーは、垂下体９の下端面に設けられた受圧部８を押圧操作することで、挿入部７を口部４に容易に接近させることができる。ユーザーは、垂下体９の下端面に設けられた受圧部８をさらに押圧操作することで、図５に示すように、挿入部７を口部４に容易に挿入することができる。このように、ユーザーは、内容物の吐出のために、挿入部７の周壁７ａの下端及び／又は頂壁７ｂを指で押圧操作するのではなく、垂下体９の下端面に設けられた受圧部８を指で押圧操作すればよいので、例えばユーザーの爪が長い場合などにおいても、容易に押圧操作することができる。
【００２４】
次に、図６〜図１０を参照して、第２実施形態に係る詰め替え容器１Ｂについて詳細に例示説明する。図６に示すように、本実施形態に係る詰め替え容器１Ｂ（以下、容器１Ｂともいう）は、容器本体２’と、キャップ１３とを有している。第１実施形態では、受圧部８が垂下体９に設けられていたが、本実施形態では、受圧部８は、口部４に離脱可能に装着されるキャップ１３に設けられている。その他の点では、容器１Ｂは、第１実施形態に係る容器Ａと同様の構成となっている。
【００２５】
キャップ１３は、キャップ１３の離脱状態で挿入部７における周壁７ａの内周面及び／又は頂壁７ｂに当接可能な当接部１４を有している。より具体的には、キャップ１３は、口部４と係合可能な係合筒１３ａと、係合筒１３ａの上端を閉塞する天壁１３ｂとを有しており、天壁１３ｂは当接部１４を有している。当接部１４は、環状（より具体的には円環状）の筒壁１４ａと、筒壁１４ａの上端を閉塞する上壁１４ｂとを有している。しかし、当接部１４の形状は変更が可能である。受圧部８は、キャップ１３（係合筒１３ａ）の下端面によって構成されている。
【００２６】
本実施形態では、容器１Ｂは、図７に示すようなプリフォーム１１’をブロー成形（より具体的には、２軸延伸ブロー成形）することによって形成されたブロー成形容器である。しかし、容器１Ｂは、このようなブロー成形によって得られるものに限られない。
【００２７】
容器１Ｂから内容物を本容器に移し替えるに際しては、ユーザーは、まず、容器１Ｂの容器本体２’からキャップ１３を離脱させる。次いで、ユーザーは、容器本体２’を傾倒させて倒立姿勢とし、口部４から内容物を吐出させる。そして、ユーザーは、内容物の吐出の途中又は終了時に胴部５を適宜押し潰して変形させることにより、容器本体２’を、図８に示すような胴部５の未変形の状態から、図９に示すような挿入部７の上端が口部４に挿入された状態にする。このとき、ユーザーは、キャップ１３の当接部１４を挿入部７における周壁７ａの内周面及び／又は頂壁７ｂに当接させ、キャップ１３の下端面に設けられた受圧部８を押圧操作することで、挿入部７を口部４に容易に挿入することができる。ユーザーは、キャップ１３の下端面に設けられた受圧部８をさらに押圧操作することで、図１０に示すように、挿入部７を口部４にさらに挿入し、口部４に当接させることができる。このように、ユーザーは、内容物の吐出のために、挿入部７の周壁７ａの下端及び／又は頂壁７ｂを指で押圧操作するのではなく、キャップ１３の下端面に設けられた受圧部８を指で押圧操作すればよいので、例えばユーザーの爪が長い場合などにおいても、容易に押圧操作することができる。
【００２８】
次に、図１１〜図１２を参照して、第３実施形態に係る詰め替え容器１Ｃについて詳細に例示説明する。図１に示すように、本実施形態に係る詰め替え容器１Ｃ（以下、容器１Ｃともいう）は、容器本体１５と、キャップ（図示省略）とを有している。容器本体１５の胴部１６は、図１２に示すように蛇腹状に折り畳み可能な蛇腹部１７からなっている。本実施形態では、蛇腹部１７は３つの折り目１７ａを有している。しかし、折り目１７ａの数は適宜変更が可能である。また、本実施形態では、受圧部８は、容器本体１５の底部１８における、蛇腹部１７の折り畳み時に蛇腹部１７と重なる部分（重複部）１８ａに設けられている。
【００２９】
本実施形態では、容器本体１５の口部１９は、挿入部２０の一部が乗り越え可能な凸状の係合部１９ａを有している。しかし、口部１９は、係合部１９ａを有さない構成としてもよい。係合部１９ａは、口部１９の内周面から、全周に亘って径方向内側に突出する環状凸部によって構成されている。係合部１９ａは、全周の一部のみに設けられていてもよい。
【００３０】
挿入部２０の周壁２０ａは、係合部１９ａより径が大きく、係合部１９ａを乗り越え可能な上部と、係合部１９ａと径が同じか、係合部１９ａより径が小さい下部とを有しており、当該上部が口部１９の内周面に全周に亘って当接することができる。挿入部２０の頂壁２０ｂは、円錐状をなしている。しかし、頂壁２０ｂの形状は変更が可能である。
【００３１】
本実施形態に係る容器１Ｃは、前述した点を除いては、第１実施形態に係る容器１Ａの場合と同様の構成となっている。
【００３２】
容器１Ｃから内容物を本容器に移し替えるに際しては、ユーザーは、まず、容器１Ｃの容器本体１５からキャップを取り外し、容器本体１５を傾倒させて倒立姿勢とし、口部１９から内容物を吐出させる。そして、ユーザーは、内容物の吐出の途中又は終了時に胴部１６の蛇腹部１７を蛇腹状に折り畳むことにより、容器本体１５を、図１１に示すような胴部１６の未変形の状態から、図１２に示すような挿入部２０が口部１９に挿入された状態にする。このとき、ユーザーは、底部１８の重複部１８ａに設けられた受圧部８を押圧操作することで、挿入部２０を口部１９に容易に挿入することができる。このように、ユーザーは、内容物の吐出のために、挿入部２０の周壁２０ａの下端及び／又は頂壁２０ｂを指で押圧操作するのではなく、底部１８の重複部１８ａに設けられた受圧部８を指で押圧操作すればよいので、例えばユーザーの爪が長い場合などにおいても、容易に押圧操作することができる。
【００３３】
また、本実施形態では、挿入部２０の周壁２０ａにおける上部の変形によって当該上部が係合部１９ａを乗り越えた後は、当該上部が係合部１９ａによって係止されるので、挿入部２０の口部１９からの抜け出しが確実に防止される。したがって、廃棄時の省スペース化を確実に図ることができる。
【００３４】
前記の説明は、一実施形態を示したものにすぎず、特許請求の範囲を限定するものではない。前記の実施形態は、本開示の基礎的事項に基づいて、種々の変更が可能である。
【００３５】
例えば、第１及び第２実施形態に係る容器１Ａ、１Ｂにおいて、口部４に、第３実施形態における係合部１９ａを設けてもよい。
【００３６】
第１及び第２実施形態に係る容器１Ａ、１Ｂにおいて、胴部５に、第３実施形態における蛇腹部１７を設けてもよい。また、底部６に、第３実施形態における重複部１８ａを設け、重複部１８ａを追加的な受圧部８としてもよい。
【符号の説明】
【００３７】
１Ａ、１Ｂ、１Ｃ  詰め替え容器
２、２’  容器本体
３  キャップ
４  口部
４ａ  雄ねじ
４ｂ  ネックリング
５  胴部
６  底部
７  挿入部
７ａ  周壁
７ｂ  頂壁
８  受圧部
９  垂下体
１０  リブ
１１、１１’  プリフォーム
１１ａ  プリフォームの口部
１１ｂ  プリフォームの底部
１２ａ  第１表面
１２ｂ  第２表面
１３  キャップ
１３ａ  係合筒
１３ｂ  天壁
１４  当接部
１４ａ  筒壁
１４ｂ  上壁
１５  容器本体
１６  胴部
１７  蛇腹部
１７ａ  折り目
１８  底部
１８ａ  重複部
１９  口部
１９ａ  係合部
２０  挿入部
２０ａ  周壁
【図１】
2019064662.tif 000003
【図２】
2019064662.tif 000004
【図３】
2019064662.tif 000005
【図４】
2019064662.tif 000006
【図５】
2019064662.tif 000007
【図６】
2019064662.tif 000008
【図７】
2019064662.tif 000009
【図８】
2019064662.tif 000010
【図９】
2019064662.tif 000011
【図１０】
2019064662.tif 000012
【図１１】
2019064662.tif 000013
【図１２】
2019064662.tif 000014